(57)【要約】【課題】簡単且つ安価な構成で、天井面への結露及びこれに伴うスマッジングを効果的に防止し得る吹出口構造をもつ空気調和機を提供する。【解決手段】吹出口９の外側壁部９ｂに、吹出口９からの吹出気流のうち外側壁部９ｂ寄りを流れる吹出気流の一部を絞り状態で天井面２０に略平行な方向へ吹き出させる絞り流路Ｙを設ける。係る構成によれば、吹出口９側から絞り流路Ｙを通って天井面２０に略平行な方向へ吹出される吹出気流は少流量で且つ低流速であることから天井面２０に沿ってその近傍に滞留し易く、そのため、この滞留空気の存在によって天井面２０近傍領域の負圧化が抑制される。従って、吹出口９からの大流量で且つ高流速の吹出気流は、上記滞留空気に阻止される状態で上記天井面２０側へ偏向することなく該滞留空気の下側を流れ、天井面２０近傍の室内空気を巻き込むことが可及的に抑制され、この結果、天井面２０への結露及びこれに伴うスマッジングが効果的に防止され、延いては空気調和機の商品価値の向上が期待できる。【選択図】図１
2009014330.tif 000002
【特許請求の範囲】
【請求項１】
天井面（２０）の開口内に埋設配置される室内機本体（Ｘ）と、上記室内機本体（Ｘ）の下面側に上記開口を覆うようにして取付けられるとともにその中央部には吸込口（８）が、外周部には吹出口（９）がそれぞれ設けられた化粧パネル（２）を備えて構成される空気調和機であって、
上記吹出口（９）の外側壁部（９ｂ）に、上記吹出口（９）からの吹出気流のうち該外側壁部（９ｂ）寄りを流れる吹出気流の一部を絞り状態で上記天井面（２０）に略平行な方向へ吹き出させる絞り流路（Ｙ）が設けられていることを特徴とする空気調和機。
【請求項２】
請求項１において、
上記絞り流路（Ｙ）が、上記吹出口（９）の外側壁部（９ｂ）をその表面側から切り込んで形成された多数のスリット溝（１５）で構成されていることを特徴とする空気調和機。
【請求項３】
請求項１において、
上記絞り流路（Ｙ）が、上記吹出口（９）の外側壁部（９ｂ）の表面部分を形成する湾曲板材（１１）に設けた多数の通孔（１６）で構成されていることを特徴とする空気調和機。
【発明の詳細な説明】
【技術分野】
【０００１】  本願発明は、天井埋込型の空気調和機の室内機における吹出口の構造に関するものである。
【背景技術】
【０００２】  天井埋込型の空気調和機の室内機においては、天井面２０の下面側に取付けられた化粧パネルの外周部分から室内側へ空気が吹き出される構成であることから、特に冷房運転時においては、冷気が室内居住者に直接当たってドラフト感を与えるのを防止する観点から、吹出口からの吹出方向をできるだけ天井面２０に近い方向へ偏向させるようにしている（例えば、特許文献１参照）。【０００３】  ところが、このようにドラフト防止の観点から、吹出口からの吹出方向を天井面に近づけた場合、吹出空気に天井面近くの室内空気が巻き込まれて結露を生じ、これに伴うスマッジングの発生が懸念される。【０００４】  このような天井面での結露及びスマッジングの発生を抑制する観点から、例えば、特許文献２には、吹出口として、偏向板を備えて通常の第１吹出口のほかに、化粧パネルの外周から側方へ吹出す第２吹出口を備え、結露及びスマッジングが発生し易い冷房高負荷時には上記第１吹出口から冷気を吹出させ、室内温度の低下によって冷房負荷が低くなったときには上記第２吹出口から冷気を吹き出させ、もって結露及びスマッジングの発生を抑制する技術が提案されている。【０００５】  また、特許文献３には、天井面のスマッジング現象を抑制する観点から、吹出口の外側壁面に突起状のガイドを設け、コアンダ効果によって上記外側壁面に沿って流れる気流に剥離作用を与えて気流が天井面側へ近づくのを抑制する技術が提案されている。【０００６】
【特許文献１】  特開平０８−１００９４２号公報
【特許文献２】  特開２００６−３３６９６１号公報
【特許文献３】  特開平０８−０９４１６０号公報
【発明の開示】
【発明が解決しようとする課題】
【０００７】  ところが、特許文献２に示されるものでは、第２吹出口の開閉機構を必要とすることから、構造が複雑化し、部品点数が増加するという問題があった。【０００８】  また、上記第２吹出口を開口させてここから冷気を吹き出すときには、風向偏向板で上記第１吹出口が遮断され、冷気全体が第２吹出口から天井面に沿う方向へ吹き出される構成であることから、いくら吹出空気を天井面側の空気の温度差が小さくなっているとしても、流量が多く且つ流速の高い吹出空気に周辺の室内空気が巻き込まれてスマッジング現象が発生することが懸念される。【０００９】  一方、特許文献３に示されるものでは、吹出口の外側壁面に設けた突起状のガイドによって該外側壁面に沿って流れる気流に剥離作用を与えて該気流が天井面に沿って流れるのを抑制しているが、これは裏を返せば、天井面に沿った領域が負圧化するということであり、その結果、吹出口からの気流がこの部分において乱れを生じ、天井面近傍の空気を巻き込んでスマッジング現象を誘起することが懸念される。【００１０】  そこで、本願発明は、簡単且つ安価な構成で、天井面への結露及びこれに伴うスマッジングを効果的に防止し得るようにした吹出口構造をもつ空気調和機を提供することを目的としてなされたものである。
【課題を解決するための手段】
【００１０】  本願発明では、上記課題を解決するために以下のような構成を採用している。【００１１】  本願の第１の発明では、天井面２０の開口内に埋設配置される室内機本体Ｘと、上記室内機本体Ｘの下面側に上記開口を覆うようにして取付けられるとともにその中央部には吸込口８が、外周部には吹出口９がそれぞれ設けられた化粧パネル２を備えて構成される空気調和機において、上記吹出口９の外側壁部９ｂに、上記吹出口９からの吹出気流のうち該外側壁部９ｂ寄りを流れる吹出気流の一部を絞り状態で上記天井面２０に略平行な方向へ吹き出させる絞り流路Ｙを設けたことを特徴としている。【００１２】  本願の第２の発明では、上記第１の発明に係る空気調和機において、上記絞り流路Ｙを、上記吹出口９の外側壁部９ｂをその表面側から切り込んで形成した多数のスリット溝１５で構成したことを特徴としている。【００１３】  本願の第３の発明では、上記第１の発明に係る空気調和機において、上記絞り流路Ｙを、上記吹出口９の外側壁部９ｂの表面部分を形成する湾曲板材１１に設けた多数の通孔１６で構成したことを特徴としている。
【発明の効果】
【００１４】
【００１８】  本願発明では次のような効果が得られる。【００１９】（ａ）本願の第１の発明に係る空気調和機によれば、上記吹出口９の外側壁部９ｂに、上記吹出口９からの吹出気流のうち該外側壁部９ｂ寄りを流れる吹出気流の一部を絞り状態で上記天井面２０に略平行な方向へ吹き出させる絞り流路Ｙを設けているので、上記吹出口９側から上記絞り流路Ｙを通って上記天井面２０に略平行な方向へ吹出される吹出気流は少流量で且つ低流速であることから該天井面２０に沿ってその近傍に滞留し易く、そのため、この滞留空気の存在によって上記天井面２０近傍領域の負圧化が抑制される。従って、上記吹出口９からの大流量で且つ高流速の吹出気流は、上記滞留空気層に阻止される状態となり、上記天井面２０側へ偏向することなく該滞留空気層の下側を流れ、天井面２０近傍の室内空気を巻き込むことが可及的に抑制される。この結果、上記天井面２０への結露及びこれに伴うスマッジングが効果的に防止され、延いては空気調和機の商品価値の向上が期待できる。【００２０】  また、上記絞り流路Ｙを通る吹出気流は、該絞り流路Ｙが上記吹出口９の外側壁部９ｂ側に設けられていることから、その流量は、上記吹出口９からの吹出気流の風向が天井面２０側に偏向される冷房運転時ほど多くなる。従って、吹出気流の流量と、結露及びスマッジング抑制の要請度合いが対応し、該吹出気流による結露及びスマッジング抑制作用をより効果的に得ることができる。
しかも、上記効果は、何等切替え操作を必要とすることなく、上記吹出口９からの吹出気流の風向変更に追従して自動的に得られることから、空気調和機の運転性及び操作性の向上という点においても有用である。【００２１】  （ｂ）本願の第２の発明に係る空気調和機によれば、上記第１の発明に係る空気調和機において、上記絞り流路Ｙを、上記吹出口９の外側壁部９ｂをその表面側から切り込んで形成した多数のスリット溝１５で構成しているので、上記吹出口９部分の形状の変更のみで、何等の専用部材等を必要とすることなく、上記（ａ）に記載の効果を得ることができるものであり、天井面２０への結露及びこれに伴うスマッジング抑制作用の高い空気調和機をより安価に提供できるものである。【００２２】  （ｃ）本願の第３の発明に係る空気調和機によれば、上記絞り流路Ｙを、上記吹出口９の外側壁部９ｂの表面部分を形成する湾曲板材１１に設けた多数の通孔１６で構成しているので、上記吹出口９の外側壁部９ｂの表面部分に上記湾曲板材１１を設けるという簡単な構成で上記（ａ）に記載の効果を得ることができるものであり、天井面２０への結露及びこれに伴うスマッジング抑制作用の高い空気調和機をより安価に提供できるものである。
【発明を実施するための最良の形態】
【００２３】  以下、本願発明を好適な実施形態に基づいて具体的に説明する。【００２４】  Ｉ：第１の実施形態
図１及び図２には、本願発明の第１の実施形態に係る空気調和機を構成する室内機Ｚ１を示している。この室内機Ｚ１は、天井埋込型の室内機であって、天井面２０に設けた開口２１を通して天井裏へ埋設状態で配置される調和機本体Ｘと、該調和機本体Ｘの下面側に取付けられる化粧パネル２を備えて構成される。【００２５】  上記調和機本体Ｘは、下面が開口した矩形箱状のケーシング１内の中央部にベルマウス５とファン３及び該ファン３を回転駆動するモータ４を上下方向へ同軸上に配置するとともに、これらベルマウス５及びファン３の外周側にはこれを囲むようにして熱交換器６を配置して構成される。【００２６】  上記化粧パネル２は、上記ケーシング１の下面形状に対応するような略矩形の平面形状をもつパネル体で構成され、その中心部分は吸込口８とされ、ここには吸込グリル７が着脱自在に取付けられている。また、上記化粧パネル２の外周側には、上記吸込口８をその平面方向外側から取り囲むように、矩形の各辺のそれぞれに沿って直線状に延びる吹出口９が形成されている。この化粧パネル２は、上記調和機本体Ｘに対して、その下面開口を閉塞するように、上記天井面２０の下面側から衝合固定される。尚、上記化粧パネル２を上記調和機本体Ｘに組み付けた状態では、該化粧パネル２側の上記吸込口８が上記調和機本体Ｘ側の上記ベルマウス５の吸込側に臨み、また上記吹出口９は上記熱交換器６の下流側の吹出流路に臨んでいる。【００２７】  一方、上記化粧パネル２の上記吹出口９部分には、本願発明が適用されている。即ち、図１〜図３に示すように、上記吹出口９は長矩形の平面形体をもつ開口であって、全体として上方側（即ち、上記調和機本体Ｘ側）から下方側（即ち、室内側）へ向かうに伴って次第に室内機中心から外方側へ湾曲しながら変位する断面形状を有している。そして、この湾曲断面は所定間隔をもって対向する内側壁面９ａと外側壁面９ｂで構成されるとともに、これらの対向間隔の中間には偏向板１２が配置されている。【００２８】  ここで、この実施形態では、上記吹出口９の上記外側壁面９ｂ側に、上記化粧パネル２の下面２ａ側から上方へ所定深さに切り込まれ且つ上記吹出口９から平面方向外側へ向けて直線状に延びる小幅のスリット溝１５が、上記吹出口９の長手方向（即ち、上記化粧パネル２の辺方向）へ所定間隔で多数列設されている。この多数のスリット溝１５によって、特許請求の範囲中に「絞り流路Ｙ」が構成されている。【００２９】  このように構成された室内機Ｚ１では、上記室内機Ｚ１の運転に伴って図１に示すように上記吸込口８から吸い込まれた室内空気は、上記熱交換器６において熱交換され、温風（暖房運転時）又は冷風（冷房運転時）として上記吹出口９から室内側へ吹き出され、これによって室内の暖房又は冷房が行われる。この際、上記吹出口９に設けられた上記偏向板１２は、暖房運転時には吹出気流を下方側へ変更させるべく水平線に対する傾斜角が大きくされ（図３の鎖線図示姿勢）、冷房運転時には吹出気流を天井面２０側へ偏向させるべく水平線に対する傾斜角が小さくされる（図３の実線図示姿勢）。【００３０】  そして、図３に示す実線図示状態では、上記吹出口９からの吹出気流の主流は、流線Ａ１で示すように該吹出口９内を上記偏向板１２に案内されながら、やや斜め下方へ向けて吹き出される（以下、これを、「主吹出気流Ａ１」という）。一方、上記吹出気流のうち、上記吹出口９の外側壁部９ｂ寄りを流れる吹出気流は、流線Ａ２で示すように、該外側壁部９ｂに設けられた上記各スリット溝１５内を絞り状態で流れ、天井面２０に沿うように水平に近い角度で吹き出される（以下、これを、「副吹出気流Ａ２」という）。【００３１】  このように、上記吹出口９からの吹出気流は上記主吹出気流Ａ１と副吹出気流Ａ２として上下に層分けされた状態で吹き出されるが、この場合、上記スリット溝１５を通って吹き出される副吹出気流Ａ２は、上記吹出口９から上記スリット溝１５への流入時に絞り作用を受けることから、該少流量で且つ低流速の流れとなり、従って、上記天井面２０に沿ってその近傍に滞留し易くなり、この滞留空気の存在によって天井面２０近傍領域の負圧化が抑制される。【００３２】  従って、上記吹出口９からの大流量で且つ高流速で吹き出される主吹出気流Ａ１は、上記天井面２０側への偏向が、上記副吹出気流Ａ２により形成される滞留空気層に阻止される状態となり、該天井面２０側へ偏向することなく滞留空気層の下側を流れることになる。この結果、上記主吹出気流Ａ１に天井面２０近傍の室内空気が巻き込まれることが可及的に抑制され、上記天井面２０への結露及びこれに伴うスマッジングが効果的に防止されることになる。【００３３】  また、上記スリット溝１５を通る副吹出気流Ａ２は、該スリット溝１５が上記吹出口９の外側壁部９ｂ側に設けられていることから、その流量は、上記吹出口９からの吹出気流の風向が天井面２０側に偏向される冷房運転時ほど多くなる。従って、吹出気流の流量と、結露及びスマッジング抑制の要請度合いが対応し、該副吹出気流Ａ２による結露及びスマッジング抑制作用をより効果的に得ることができる。【００３４】  しかも、上記効果は、何等切替え操作を必要とすることなく、上記吹出口９からの吹出気流の風向変更に追従して自動的に得られることから、空気調和機の運転性及び操作性の向上という点においても有用である。【００３５】  さらに、上記スリット溝１５が、上記吹出口９の外側壁部９ｂをその表面側から切り込んで形成されるものであることから、上記吹出口９部分の形状の変更のみで、何等の専用部材等を必要とすることなく、上記各作用効果を得ることができ、その結果、天井面２０への結露及びこれに伴うスマッジング抑制作用の高い空気調和機をより安価に提供できることになる。【００３６】  ＩＩ：第２の実施形態
図４及び図５には、本願発明の第２の実施形態に係る空気調和機を構成する室内機Ｚ２を示している。この室内機Ｚ２は、天井埋込型の室内機であって、上記第１の実施形態に係る上記室内機Ｚ１とその基本構成を同じにするものであって、これと異なる点は、上記吹出口９に設けられる上記絞り流路Ｙの構成である。【００３７】  即ち、上記第１の実施形態に係る室内機Ｚ１では、上記絞り流路Ｙを多数のスリット溝１５で構成していたのに対して、この実施形態の室内機Ｚ２では上記絞り流路Ｙを多数の通孔１６で構成した点である。【００３８】  尚、この絞り流路Ｙの構成以外の構成及びこれにより得られる作用効果については、全て上記第１の実施形態に係る室内機Ｚ１と同一であるので、図４〜図６の各部材に図１〜図３の各部材に対応させて同一符号を付した上で、該第１実施形態における該当説明を援用し、ここでは上記相違点を中心に説明する。【００３９】  図４〜図６に示すように、この実施形態においては、上記吹出口９の外側壁部９ｂを、薄い湾曲板材１１で構成するとともに、該湾曲板材１１には小径の通孔１６を多数設けて該各通孔１６によって上記絞り流路Ｙを構成している。そして、上記湾曲板材１１の背面側は、そのまま上記天井面２０に臨む空隙部１７とされている。【００４０】  以上のように、上記各通孔１６で上記絞り流路Ｙを構成したこの実施形態に係る室内機Ｚ２によれば、該室内機Ｚ２の運転に伴って上記吹出口９から吹き出される吹出気流は、図６に示すように、上記吹出口９からの主吹出気流Ａ１は、該吹出口９内を上記偏向板１２に案内されながら、やや斜め下方へ向けて吹き出される。一方、上記吹出気流のうち、上記吹出口９の外側壁部９ｂ寄りを流れる副吹出気流Ａ２は、上記外側壁部９ｂを構成する上記湾曲板材１１に設けられた上記各通孔１６を絞り状態で流通し、上記天井面２０に沿うように水平に近い角度で吹き出される。【００４１】  このように、上記吹出口９からの吹出気流は、上記主吹出気流Ａ１と副吹出気流Ａ２として上下に層分けされた状態で吹き出されるが、この場合、上記通孔１６を通って吹き出される副吹出気流Ａ２は、上記吹出口９から該通孔１６への流入時に絞り作用を受けることから、少流量で且つ低流速の流れとなり、従って、上記天井面２０に沿ってその近傍に滞留し易くなり、この滞留空気の存在によって天井面２０近傍領域の負圧化が抑制される。【００４２】  従って、上記吹出口９からの大流量で且つ高流速で吹き出される主吹出気流Ａ１は、上記天井面２０側への偏向が、上記副吹出気流Ａ２により形成される滞留空気層に阻止される状態となり、該天井面２０側へ偏向することなく滞留空気層の下側を流れることになる。この結果、上記主吹出気流Ａ１に天井面２０近傍の室内空気が巻き込まれることが可及的に抑制され、上記天井面２０への結露及びこれに伴うスマッジングが効果的に防止されることになる。【００４３】  また、上記通孔１６を通る副吹出気流Ａ２は、該通孔１６が上記吹出口９の外側壁部９ｂを構成する上記湾曲板材１１側に設けられていることから、その流量は、上記吹出口９からの吹出気流の風向が天井面２０側に偏向される冷房運転時ほど多くなる。従って、吹出気流の流量と、結露���びスマッジング抑制の要請度合いが対応し、該副吹出気流Ａ２による結露及びスマッジング抑制作用をより効果的に得ることができる。【００４４】  しかも、上記効果は、何等切替え操作を必要とすることなく、上記吹出口９からの吹出気流の風向変更に追従して自動的に得られることから、空気調和機の運転性及び操作性の向上という点においても有用である。【００４５】  さらに、上記湾曲板材１１に通孔１６を設けるという簡単な構成で上記（ａ）に記載の効果を得ることができるものであり、天井面２０への結露及びこれに伴うスマッジング抑制作用の高い空気調和機をより安価に提供できるものである。【００４６】  ＩＩＩ：その他
（１）  上記第１及び第２実施形態においては、上記絞り流路Ｙ（即ち、第１の実施形態におけるスリット溝１５、第２の実施形態における通孔１６）を上記吹出口９の幅方向（即ち、上記化粧パネル２の辺方向）の全域に設けているが、本願発明はこれに限定されるものではなく、他の実施形態においては、例えば、上記絞り流路Ｙを、最も結露及びスマッジングが発生し易い部位、即ち、上記吹出口９の幅方向の両端寄り部位のみに設けることもできる。係る構成とした場合には、より簡単な構成でより高い結露及びスマッジング抑制効果を得ることができる。【００４７】  （２）  上記第１の実施形態では、上記スリット溝１５を、上記吹出口９からの吹出方向へ向けて直線的に形成しているが、本願発明はこれに限定されるものではなく、例えば、該スリット溝１５を上記吹出口９の幅方向の両端寄り部位のみに形成することもできる。係る構成とした場合には、より簡単かつ安価な構成でより高い結露及びスマッジング抑制効果を得ることができる。【００４８】  （３）  上記第１及び第２の実施形態では、上記吹出口９を上記化粧パネル２の各辺に対応する周囲４箇所に設けたものを対象としていたが、本願発明は係る構成に限定されるものではなく、他の実施形態においては、例えば、図２及び図５にそれぞれ鎖線図示するように、上記化粧パネル２のコーナ部分にも吹出口（９′と表示している）を設けることもできる。【００４９】（４）  上記第２の実施形態では、上記吹出口９の外側壁部９ｂを上記湾曲板材１１で構成するとともに該湾曲板材１１に設けた通孔１６で上記絞り流路Ｙを構成していたが、本願発明はこれに限定されるものではなく、他の実施形態においては、上記湾曲板材１１に代えて、例えば、所定のメッシュ数をもつ網体で上記外側壁部９ｂを構成することもできる。係る構成とした場合には、上記網体のメッシュ部分で上記絞り流路Ｙが構成されるので、該絞り流路Ｙの構造が簡略化される。
【図面の簡単な説明】
【００５０】
【図１】  本願発明の第１の実施形態に係る空気調和機の断面図である。
【図２】  図１のＩＩ−ＩＩ矢視図である。
【図３】  図１のＩＩＩ部の拡大図である。
【図４】  本願発明の第２の実施形態に係る空気調和機の断面図である。
【図５】  図４のＶ−Ｖ矢視図である。
【図６】  図４のＶＩ部の拡大図である。
【符号の説明】
【００５１】    １    ・・ケーシング
２    ・・化粧パネル
３    ・・ファン
４    ・・モータ
５    ・・ベルマウス
６    ・・熱交換器
７    ・・吸込グリル
８    ・・磁場センサ
９    ・・吹出口
１０    ・・通風路
１１    ・・湾曲板材
１２    ・・偏向板
１５    ・・スリット溝
１６    ・・通孔
１７    ・・空隙部
２０    ・・天井面
２１    ・・開口
Ａ    ・・空気流
Ａ１    ・・主吹出気流
Ａ２    ・・副吹出気流
Ｘ    ・・調和機本体
Ｙ    ・・絞り流路
Ｚ１    ・・室内機
Ｚ２    ・・室内機
【図１】
2009014330.tif 000003
【図２】
2009014330.tif 000004
【図３】
2009014330.tif 000005
【図４】
2009014330.tif 000006
【図５】
2009014330.tif 000007
【図６】
2009014330.tif 000008